(57)【要約】【課題】厳密な寸法設計を要することなく、許容レベル以上の衝撃が電子機器に加わったことを検知でき、且つ電子機器に内蔵される回路基板が短絡するなどの不具合も抑えられる衝撃検知装置を提供する。【解決手段】電子機器のフレームに形成された貫通穴を挟んでその両側に固定される一対の導電端子と、一対の導電端子に支持され両者を導通状態にする導電性部材と、フレームに固定された弾性緩衝部材に固定支持された内蔵部品と導電性部材と貫通穴を通じて物理的に接続する非伸縮性で柔軟性を有する連結部材とを備え、許容レベル以上の衝撃を受けたとき、当該衝撃による弾性緩衝部材の弾性変形に伴って移動する連結部材が、一対の導電端子に支持された導電性部材を引っ張ることによって、一対の導電端子又は導電性部材を変形させて一対の導電端子の間から貫通穴を通じて導電性部材を引き抜き、一対の導電端子が非導通状態となる。【選択図】図２
2010107283.tif 000002
【特許請求の範囲】
【請求項１】
電子機器が予め設定された値以上の外部からの衝撃を受けたことを検知する衝撃検知装置であって、
前記衝撃検知装置は、
前記電子機器のフレームに形成された貫通穴を挟んでその両側に固定される一対の導電端子と、
前記一対の導電端子のそれぞれに離脱可能に支持されることで両者を導通状態にする導電性部材と、
前記フレームに固定された弾性緩衝部材に固定支持された内蔵部品と前記導電性部材とを前記貫通穴を通じて物理的に接続する非伸縮性で且つ柔軟性を有する連結部材と、
を備え、
前記フレームが前記外部からの衝撃を受ける前においては、前記一対の導電端子が前記導電性部材を支持して導通状態にあり、
前記フレームが前記外部からの衝撃を受けたとき、当該衝撃による前記弾性緩衝部材の弾性変形に伴って前記内蔵部品と共に移動する前記連結部材が、前記一対の導電端子に支持された前記導電性部材を引っ張ることによって、前記一対の導電端子又は前記導電性部材を変形させて前記一対の導電端子の間から前記貫通穴を通じて前記導電性部材を引き抜き、前記一対の導電端子が非導通状態となる、衝撃検知装置。
【請求項２】
前記内蔵部品は、ハードディスクドライブである、請求項１に記載の衝撃検知装置。
【請求項３】
前記一対の導電端子は、弾性を有し、前記貫通穴側に向けて片持ち状態で前記フレームに固定されている、請求項１又は２に記載の衝撃検知装置。
【請求項４】
前記一対の導電端子は、板バネで構成されている、請求項３に記載の衝撃検知装置。
【請求項５】
前記一対の導電端子は、それぞれ断面Ｕ字状部分を有し、当該断面Ｕ字状部分で前記導電性部材を挟持する、請求項１〜４のいずれか１つに記載の衝撃検知装置。
【請求項６】
前記導電性部材は、弾性を有する、請求項１又は２に記載の衝撃検知装置。
【請求項７】
前記導電性部材は、球形である、請求項１〜６のいずれか１つに記載の衝撃検知装置。
【請求項８】
前記一対の導電端子が非導通状態になったとき、前記外部からの衝撃を受けたことを示す衝撃検知情報を発信する電気回路をさらに備える、請求項１〜７のいずれか１つに記載の衝撃検知装置。
【請求項９】
前記衝撃検知情報には、前記電子機器に設けられた表示部に前記外部からの衝撃を受けたことを表示させる情報、又は前記電子機器に設けられた音声出力部に前記外部からの衝撃を受けたことを発音させる情報が含まれる、請求項８に記載の衝撃検知装置。
【請求項１０】
前記衝撃検知情報には、前記電子機器の電源を切断する情報が含まれる、請求項８又は９に記載の衝撃検知装置。
【請求項１１】
請求項１〜１０のいずれか１つに記載の衝撃検知装置を備える、電子機器。
【発明の詳細な説明】
【技術分野】
【０００１】
本発明は、特に、携帯型の電子機器に落下衝撃などの許容レベル以上の衝撃が加わったことを検知する衝撃検知装置、及び当該装置を備える電子機器に関する。
【背景技術】
【０００２】
近年、電子機器の高機能化及び小型化が進むとともに、情報インフラ（インフラストラクチャ）が発達してきている。これにより、外出先や屋外でインターネットなどから情報を取得可能な携帯電話やノート型パーソナルコンピュータ（以下、ノートパソコンという）などの携帯型の電子機器が普及してきている。これらの機器は持ち運びが容易であるため、使用中又は携行中にユーザが誤って機器を落下させてしまうことがある。このとき、機器が許容レベル以上の衝撃を受けると、部分的に破損して故障する恐れがある。また、破損に至らなくても、機器に搭載されるハードディスクドライブなどの精密機器は特に衝撃に弱いため、所望の動作信頼性を満たさなくなる恐れがある。このため、許容レベル以上の衝撃が機器に加わったことを検知し、機器の修理又はメンテナンスなどが必要であることをユーザに知らせる装置が求められている。
【０００３】
このような装置としては、例えば、特許文献１（特開平５−１４２２４３号公報）、及び特許文献２（特開２００７−６４７１１号公報）に開示されたものがある。特許文献１には、枠型のフレームの中央部に配置したマス部を、許容レベル以上の衝撃により破損するビームによりフレームに接続した装置が開示されている。特許文献１の装置は、例えば落下衝撃により、マス部がフレームに対して変位してビームが破損することで、許容レベル以上の衝撃が機器に加わったことを検知する。また、特許文献２には、許容レベル以上の衝撃により破断する複数のフレームによりボールを中空状態で支持した装置が開示されている。特許文献２の装置は、例えば落下衝撃により、ボールが変位してフレームが切断されることで、許容レベル以上の衝撃が機器に加わったことを検知する。
【特許文献１】特開平５−１４２２４３号公報
【特許文献２】特開２００７−６４７１１号公報
【発明の開示】
【発明が解決しようとする課題】
【０００４】
しかしながら、特許文献１の装置において、許容レベル以上の衝撃でビームが破損するようにするためには、マス部の大きさ、ビームの太さ、材質、強度等の多岐にわたる項目を適切に設定する必要がある。特に各種寸法については厳密に設計する必要がある。
【０００５】
また、特許文献１の装置を例えばノートパソコンに搭載する場合には、当該装置の取付け位置やノートパソコンの構造によって受ける衝撃値が異なる。このため、ノートパソコンの設計段階で前記取付け位置や構造を変更すると、許容レベル以上の衝撃でビームが破損するようにその変更に応じて各種寸法を調整する必要がある。しかしながら、前記したように特許文献１の装置において各種寸法は厳密に設計する必要があるため、各種寸法の調整は非常に手間がかかることである。
【０００６】
また、特許文献１の装置においては、許容レベル以上の衝撃を受けて破損したビームの破片が、電子機器内を自由に動き回る恐れがある。このため、当該ビームの破片が、電子機器に内蔵される回路基板上の回路を短絡したり、キーボードやスイッチ等の機構部品の動きを妨げたりして、２次的な故障が生じる恐れがある。
【０００７】
また、特許文献２の装置においても、特許文献１の装置と同様の問題点がある。
【０００８】
従って、本発明の目的は、前記問題を解決することにあって、厳密な寸法設計を要することなく、許容レベル以上の衝撃が電子機器に加わったことを検知できるとともに、電子機器に内蔵される回路基板が短絡するなどの不具合も抑えることができる衝撃検知装置、及び当該装置を備える電子機器を提供することにある。
【課題を解決するための手段】
【０００９】
前記目的を達成するために、本発明は以下のように構成する。
本発明の第１態様によれば、電子機器が予め設定された値以上の外部からの衝撃を受けたことを検知する衝撃検知装置であって、
前記衝撃検知装置は、
前記電子機器のフレームに形成された貫通穴を挟んでその両側に固定される一対の導電端子と、
前記一対の導電端子のそれぞれに離脱可能に支持されることで両者を導通状態にする導電性部材と、
前記フレームに固定された弾性緩衝部材に固定支持された内蔵部品と前記導電性部材とを前記貫通穴を通じて物理的に接続する非伸縮性で且つ柔軟性を有する連結部材と、
を備え、
前記フレームが前記外部からの衝撃を受ける前においては、前記一対の導電端子が前記導電性部材を支持して導通状態にあり、
前記フレームが前記外部からの衝撃を受けたとき、当該衝撃による前記弾性緩衝部材の弾性変形に伴って前記内蔵部品と共に移動する前記連結部材が、前記一対の導電端子に支持された前記導電性部材を引っ張ることによって、前記一対の導電端子又は前記導電性部材を変形させて前記一対の導電端子の間から前記貫通穴を通じて前記導電性部材を引き抜き、前記一対の導電端子が非導通状態となる、衝撃検知装置を提供する。
【００１０】
本発明の第２態様によれば、前記内蔵部品は、ハードディスクドライブである、第１態様に記載の衝撃検知装置を提供する。
【００１１】
本発明の第３態様によれば、前記一対の導電端子は、弾性を有し、前記貫通穴側に向けて片持ち状態で前記フレームに固定されている、第１又は２態様に記載の衝撃検知装置を提供する。
【００１２】
本発明の第４態様によれば、前記一対の導電端子は、板バネで構成されている、第３態様に記載の衝撃検知装置を提供する。
【００１３】
本発明の第５態様によれば、前記一対の導電端子は、それぞれ断面Ｕ字状部分を有し、当該断面Ｕ字状部分で前記導電性部材を挟持する、第１〜４態様のいずれか１つに記載の衝撃検知装置を提供する。
【００１４】
本発明の第６態様によれば、前記導電性部材は、弾性を有する、第１又は２態様に記載の衝撃検知装置を提供する。
【００１５】
本発明の第７態様によれば、前記導電性部材は、球形である、第１〜６態様のいずれか１つに記載の衝撃検知装置を提供する。
【００１６】
本発明の第８態様によれば、前記一対の導電端子が非導通状態になったとき、前記外部からの衝撃を受けたことを示す衝撃検知情報を発信する電気回路をさらに備える、第１〜７態様のいずれか１つに記載の衝撃検知装置を提供する。
【００１７】
本発明の第９態様によれば、前記衝撃検知情報には、前記電子機器に設けられた表示部に前記外部からの衝撃を受けたことを表示させる情報、又は前記電子機器に設けられた音声出力部に前記外部からの衝撃を受けたことを発音させる情報が含まれる、第８態様に記載の衝撃検知装置を提供する。
【００１８】
本発明の第１０態様によれば、前記衝撃検知情報には、前記電子機器の電源を切断する情報が含まれる、第８又は９態様に記載の衝撃検知装置を提供する。
【００１９】
本発明の第１１態様によれば、第１〜１０態様のいずれか１つに記載の衝撃検知装置を備える、電子機器を提供する。
【発明の効果】
【００２０】
本発明に係る衝撃検知装置によれば、前記衝撃による前記弾性緩衝部材の弾性変形に伴って移動する前記連結部材が、前記導電性部材を引っ張ることによって、前記一対の導電端子又は前記導電性部材を変形させて前記一対の導電端子の間から前記貫通穴を通じて前記導電性部材を引き抜き、前記一対の導電端子が非導通状態となるように構成されている。これにより、その導通状態を検知することで電子機器が予め設定された値以上の衝撃を受けたことを検知することができる。このとき、前記衝撃の検知は、前記一対の導電端子の間から前記貫通穴を通じて前記導電性部材を引き抜けるように、前記一対の導電端子又は前記導電性部材を変形させればよい。従って、装置の取付け位置等によって装置が受ける衝撃値が異なる場合でも、例えば、前記一対の導電端子又は前記導電性部材の変形量を調整することで、当該許容レベル以上の衝撃の検知が可能になる。ここで、例えば、一対の導電端子を板バネで構成した場合には、前記一対の導電端子の変形量の調整は、当該板バネの長さや弾性係数などを調整することで可能である。従って、厳密な寸法設計を要することなく、許容レベル以上の衝撃が電子機器に加わったことを検知することができる。
【００２１】
また、本発明に係る衝撃検知装置によれば、前記導電性部材が前記連結部材により物理的に接続されているので、前記一対の導電端子の間から引き抜かれた後の前記導電性部材の移動範囲は、前記連結部材の長さの範囲に限定される。従って、前記導電性部材が、電子機器に内蔵される回路基板上の回路を短絡したり、キーボードやスイッチ等の機構部品の動きを妨げたりする不具合を防ぐことができ、２次的な故障の発生を抑えることができる。
【発明を実施するための最良の形態】
【００２２】
以下、本発明の最良の実施の形態について、図面を参照しながら説明する。
【００２３】
《第１実施形態》
図１は、本発明の実施形態に係る衝撃検知装置を搭載する携帯型電子機器の斜視図である。なお、ここでは、本衝撃検知装置を搭載する携帯型電子機器としてノートパソコンを例に挙げて説明する。
【００２４】
図１において、ノートパソコンは、矩形箱状の機器本体１と、機器本体１の一辺に沿って配置されたヒンジ軸２と、ヒンジ軸２に回動可能に取り付けられた表示部の一例であるディスプレイ３とを有している。機器本体１のディスプレイ３側の表面には、多数の入力キー４と、カーソル操作部５と、音声出力部の一例であるスピーカー６とが設けられている。機器本体１の内部には、内蔵部品の一例であるハードディスクドライブ（以下、ＨＤＤという）７、磁気ディスクドライブ（図示せず）、光学ドライブ（図示せず）などの精密機器が配置されている。また、ＨＤＤ７には、落下衝撃などの許容レベル（予め設定された値）以上の衝撃が機器本体１に加わったことを検知するための衝撃検知装置１０が取り付けられている。
【００２５】
次に、図２〜図４を用いて、本発明の第１実施形態に係る衝撃検知装置１０の構成を説明する。図２〜図４は、本実施形態に係る衝撃検知装置１０の構成を模式的に示す断面図である。図２は、外部からの衝撃が加わる前の状態を示し、図３は、外部からの衝撃が加わっている状態を示し、図４は、許容レベル以上の衝撃が加わった状態を示している。
【００２６】
図２〜図４において、衝撃検知装置１０は、機器本体１の内部の略箱状のフレーム８に形成された貫通穴８ａを挟んでその両側に固定された一対の導電端子１１と、一対の導電端子１１のそれぞれに離脱可能に支持されることで両者を導通状態にする導電性部材１２と、ＨＤＤ７と導電性部材１２とを物理的に接続する連結部材１３とを備えている。
【００２７】
一対の導電端子１１は、例えば弾性を有する金属の板バネで構成され、貫通穴８ａに向けて片持ち状態でフレーム８の外面に固定されている。一対の導電端子１１の先端側（自由端側）の部分１１ａは、図２に示すように断面Ｕ字状に形成され、当該断面Ｕ字状部分１１ａで導電性部材１２を挟持する。
【００２８】
導電性部材１２は、例えば円形や正方形の金属板で構成されている。導電性部材１２と連結部材１３とは、許容レベル以上の衝撃がフレーム８に加わった場合でも互いに分離しないように強固に接続されている。
【００２９】
連結部材１３は、非伸縮性で且つ柔軟性を有する例えばワイヤやフィルムなどで構成されている。連結部材１３とＨＤＤ７とは、許容レベル以上の衝撃がフレーム８に加わった場合でも互いに分離しないように強固に接続されている。また、連結部材１３は、一対の導電端子１１に支持される導電性部材１２とＨＤＤ７との距離と略同じ長さを有している。
【００３０】
ＨＤＤ７は、フレーム８の内面に固定された弾性緩衝部材９に固定支持されている。ＨＤＤ７は、ノートパソコンに搭載される精密機器の中でも最も衝撃に弱い機器である。
【００３１】
弾性緩衝部材９は、例えばエラストマーを材料として構成されている。弾性緩衝部材９は、外部からの衝撃がフレーム８に加わったときに伸縮して、当該衝撃がＨＤＤ７に伝播するのを低減するクッション材として機能する。弾性緩衝部材９は、ノートパソコンが例えば１ｍの高さから落下したときでも、ＨＤＤ７が正常動作できるように、硬度や形状等の仕様が設定されている。また、弾性緩衝部材９は、許容レベル以上の衝撃がフレーム８に加わったとき、少なくとも一対の導電端子１１の厚み以上、弾性変形により縮むことができるように構成されている。
【００３２】
また、一対の導電端子１１は、電気回路１４に接続されている。電気回路１４は、一対の導電端子１１が非導通状態になったとき、許容レベル以上の衝撃を受けたことを示す衝撃検知情報を発信する。衝撃検知情報としては、例えば、ディスプレイ３に許容レベル以上の衝撃を受けたことを表示させる情報、スピーカー６から許容レベル以上の衝撃を受けたことを発音させる情報、ノートパソコンの電源を切断する情報などが挙げられる。これにより、衝撃検知情報を受信したノートパソコンは、例えば、警告ランプを点灯したり、ディスプレイ３に文字を表示したり、スピーカー６から警告音を鳴らしたり、電源を切断したりすることで、許容レベル以上の衝撃を受けたことをユーザに知らせることができる。
【００３３】
次に、前記のように構成される本第１実施形態に係る衝撃検知装置１０の各部の動作について説明する。
【００３４】
外部からの衝撃が全くノートパソコンに加わっていないとき、弾性緩衝部材９は弾性変形しないので、図２に示すように、一対の導電端子１１は、導電性部材１２を断面Ｕ字状部分１１ａ，１１ａで挟持して導通状態にある。
【００３５】
この状態から、例えばノートパソコンの機器本体１の背面を下にして落下したとき、すなわち、フレーム８がＺ方向に落下したとき、フレーム８は、Ｚ方向に許容レベル以上の衝撃（慣性力）を受ける。この衝撃によって弾性緩衝部材９が、図３に示すように圧縮され、ＨＤＤ７がフレーム８の緩衝部材設置面に近づくように移動する。このＨＤＤ７の移動に伴い、ＨＤＤ７に接続される連結部材１３も緩衝部材設置面に近づくように移動し、連結部材１３が一対の導電端子１１に挟持された導電性部材１２をＺ方向に引っ張る。この引っ張り力により、一対の導電端子１１が導電性部材１２に押されて弾性変形する。
【００３６】
許容レベル以上の衝撃により弾性緩衝部材９が最大限圧縮されると、一対の導電端子１１が導電性部材１２を挟持しきれなくなる。このため、連結部材１３の引っ張り力により、図３に示すように、導電性部材１２が一対の導電端子１１の間から貫通穴８ａを通じて引き抜かれる。これにより、一対の導電端子１１は非導通状態となる。一対の導電端子１１が非導通状態になったとき、電気回路１４が前記衝撃検知信号を発信する。これにより、許容レベル以上の衝撃を受けたことをユーザに知らせることができる。一方、前記引き抜かれた導電性部材１２は、連結部材１３によりＨＤＤ７に物理的に接続されているので、その移動範囲が連結部材１３の長さの範囲に制限される。
【００３７】
本発明の第１実施形態に係る衝撃検知装置１０によれば、許容レベル以上の衝撃による弾性緩衝部材９の弾性変形に伴って移動する連結部材１３が、導電性部材１２を引っ張ることによって、一対の導電端子１１を弾性変形させて一対の導電端子１１の間から貫通穴８ａを通じて導電性部材１２を引き抜き、一対の導電端子１１が非導通状態となるように構成されている。これにより、その導通状態を検知することでノートパソコンが許容レベル以上の衝撃を受けたことを検知することができる。このとき、前記衝撃の検知は、一対の導電端子１１の間から貫通穴８ａを通じて導電性部材１２を引き抜けるように、一対の導電端子１１を弾性変形させればよい。従って、装置の取付け位置等によって装置が受ける衝撃値が異なる場合でも、例えば、一対の導電端子１１の弾性変形量を調整することで、当該許容レベル以上の衝撃の検知が可能になる。
【００３８】
ここで、一対の導電端子１１を板バネで構成した場合には、一対の導電端子１１の弾性変形量の調整は、当該板バネの長さや弾性係数、フレーム８への固定位置、導電性部材７の重さなどをいずれか１つ調整することで可能である。従って、厳密な寸法設計を要することなく、許容レベル以上の衝撃がノートパソコンに加わったことを検知することができる。
【００３９】
また、本発明の第１実施形態に係る衝撃検知装置１０によれば、導電性部材１２が連結部材１３により物理的に接続されているので、一対の導電端子１１の間から引き抜かれた後の導電性部材１２の移動範囲は、連結部材１３の長さの範囲に限定される。従って、導電性部材１２が、ノートパソコンに内蔵される回路基板上の回路を短絡したり、キーボードやスイッチ等の機構部品の動きを妨げたりする不具合を防ぐことができ、２次的な故障の発生を抑えることができる。
【００４０】
また、本発明の第１実施形態に係る衝撃検知装置１０によれば、従来例のように何れかの部材を破損させることで衝撃を検知するものではないので、前記引き抜いた導電性部材１２を一対の導電端子１１が挟持するように再配置するだけで、元の状態に戻すことができる。これにより、装置の修理コスト（交換コスト）を大幅に抑えることができる。
【００４１】
また、本発明の第１実施形態に係る衝撃検知装置１０によれば、前述したように最も衝撃に弱いＨＤＤ７の動きに直接連動して連結部材１３及び導電性部材１２が移動するように構成している。すなわち、ＨＤＤ７にかかる衝撃をより高精度で検知できるようにしている。これにより、ノートパソコンが故障するのをより確実に防ぐことができる。
【００４２】
また、本発明の第１実施形態に係る衝撃検知装置１０によれば、導電性部材１２を一対の導電性部材１１の断面Ｕ字状部分１１ａで挟持するように構成されている。これにより、許容レベル以上の衝撃により導電性部材１２がＨＤＤ７側に引き抜かれたときのみ、一対の導電端子１１が非導通状態にすることができる。一方、一対の導電端子１１が単なる導電性の板材であり、当該一対の導電端子の上に導電性部材１２を載置しただけである場合には、図３のＺ方向とは反対方向に衝撃を受けたときにも、導電性部材１２が前記一対の導電端子から前記反対方向に離れて、前記一対の導電端子が非導通状態になる恐れがある。
【００４３】
《第２実施形態》
図５は、本発明の第２実施形態に係る衝撃検知装置の構成を模式的に示す断面図である。本第２実施形態に係る衝撃検知装置１０Ａが、前記第１実施形態に係る衝撃検知装置１０と異なる点は、板状の導電性部材１２に代えて、球形の導電性部材（例えば金属球）１２Ａを用いている点である。
【００４４】
本発明の第２実施形態にかかる衝撃検知装置１０Ａによれば、球形の導電性部材１２Ａを用いることにより、外部からの衝撃が加わらない通常時において、一対の導電端子１１の導通状態を安定して保持することができる。これにより、衝撃検知の誤作動を防止することが可能となる。また、導電性部材１２ＡがＨＤＤ７側に引き抜かれる際に、一対の導電端子１１と導電性部材１２Ａとの間で摩擦が生じ難くいので、より衝撃検知精度を高めることができる。
【００４５】
なお、本発明は前記各実施形態に限定されるものではなく、その他種々の態様で実施できる。例えば、前記では、携帯型電子機器の一例としてノートパソコンについて説明したが、本発明はこれに限定されない。例えば、携帯電話、デジタルカメラ、ムービーカメラ、携帯ゲーム機器、携帯音楽プレーヤなどであってもよい。
【００４６】
また、前記では、導電性部材１２が連結部材１３に引っ張られた際、導電性部材１２に押されて一対の導電端子１１が弾性変形するものとしたが、本発明はこれに限定されない。一対の導電端子１１は、導電性部材１２に押されたとき、単に変形するものであってもよい。すなわち、一対の導電端子１１は可塑性材料で構成されてもよい。また、一対の導電端子１１が弾性変形することに代えて、導電性部材１２が弾性変形するようにしてもよい。すなわち、導電性部材１２を弾性材料で構成してもよい。
【産業上の利用可能性】
【００４７】
本発明に係る衝撃検知装置は、厳密な寸法設計を要することなく、許容レベル以上の衝撃が電子機器に加わったことを検知できるとともに、電子機器に内蔵される回路基板が短絡するなどの不具合も抑えることができるので、特に、ノートパソコン、携帯電話、デジタルカメラ、ムービーカメラ、携帯ゲーム機器、携帯音楽プレーヤなど携帯型電子機器に有用である。
【図面の簡単な説明】
【００４８】
【図１】本発明の第１実施形態に係る衝撃検知装置を備えるノートパソコンの斜視図である。
【図２】本発明の第１実施形態に係る衝撃検知装置において、外部からの衝撃が加わる前の状態アーム部材が弾性変形する前の状態を模式的に示す断面図である。
【図３】本発明の第１実施形態に係る衝撃検知装置において、外部からの衝撃が加わっているときの状態を模式的に示す断面図である。
【図４】本発明の第１実施形態に係る衝撃検知装置において、許容レベル以上の衝撃が加わった後の状態を模式的に示す断面図である。
【図５】本発明の第２実施形態に係る衝撃検知装置の構成を模式的に示す断面図である。
【符号の説明】
【００４９】
１    機体本体
２    ヒンジ軸
３    ディスプレイ
４    入力キー
５    カーソル操作部
６    スピーカー
７    ハードディスクドライブ
８    フレーム
９    弾性緩衝部材
１０    衝撃検知装置
１１    導電端子
１１ａ  断面Ｕ字状部分
１２    導電性部材
１３    連結部材
１４    電気回路
【図１】
2010107283.tif 000003
【図２】
2010107283.tif 000004
【図３】
2010107283.tif 000005
【図４】
2010107283.tif 000006
【図５】
2010107283.tif 000007